(57)【要約】  電子トルク・レンチが、ユーザ・インタフェース・アセンブリ及びパワー・アセンブリ・モジュールをそれぞれ取り外し可能に受ける細長いアパーチャをその中に備える管状コアを有し、モジュールは周囲のグリップ・シース内の開口を通して露出される。工作物に係合するヘッドは、管の一端で受けられるシム部材中のテーパ付きの開口の中で受けることができるビーム部材に結合される。ビーム部材上のセンサは、事前設定のトルク・レベルに対する測定されたトルクの値の近さを表すバー・グラフ表示を生み出す表示装置を次に有するユーザ・インタフェース・アセブリに延びるワイヤによって接続される。
2007507363.tif 000002
【特許請求の範囲】
【請求項１】
ハウジング・アセンブリであって、
その内部に形成された第１及び第２の細長いアパーチャを備える内部のほぼ管状コア、
前記コア上に入れ子式に受けられ、前記第１及び第２アパーチャに通じる第１及び第２開口をその中にそれぞれ備えるグリップ・スリーブ、
前記コアに結合され、トルク測定装置を含み、前記第１アパーチャ及び前記第１開口内に配置されたユーザ・インタフェース・アセンブリ、及び
前記コアに結合され、前記第２アパーチャ及び前記第２開口内に配置され、前記ユーザ・インタフェース・アセンブリに電気的に接続されたパワー・アセンブリを備えるハウジング・アセンブリと、
前記コアによって支持される工作物に係合するヘッドと、
前記ハウジング・アセンブリによって支持されかつ前記トルク測定装置に接続される検出装置とを含む電子トルク・レンチ。
【請求項２】
前記ユーザ・インタフェース・アセンブリが前記第１アパーチャ及び前記第１開口内に配置されそれらを閉じるパネルを含み、前記パワー・アセンブリが前記第２アパーチャ及び前記第２開口内に配置されそれらを囲むパネルを含む請求項１に記載のレンチ。
【請求項３】
前記第１及び第２開口が、それぞれ前記第１及び第２アパーチャより実質的に長い請求項２に記載のレンチ。
【請求項４】
前記パネルを前記管状コアに堅く固定するファスナをさらに含む請求項３に記載のレンチ。
【請求項５】
前記ユーザ・インタフェース・アセンブリが表示及びキーパッドを含む請求項１に記載のレンチ。
【請求項６】
前記管状コアは横断面が卵形である請求項１に記載のレンチ。
【請求項７】
前記管状コアは横断面が円形である請求項１に記載のレンチ。
【請求項８】
前記検出装置が、前記ヘッドと前記管状コアの間で結合されたビーム部材と前記ビーム部材によって支持されたひずみゲージ・アセンブリとを含む請求項１に記載のレンチ。
【請求項９】
ハウジングと、
前記ハウジングに支持された工作物に係合するヘッドと、
前記ハウジングに支持され、内蔵プログラム制御の下で動作するプロセサを含み、関連する電力源に結合するように適合されたトルク測定装置と、
前記ハウジングに支持され前記トルク測定装置に結合されたユーザ・インタフェースとを含み、
前記ユーザ・インタフェースがデータ入力装置と表示装置とを含み、
前記プロセサ・プログラムが事前設定トルク・レベルを選択的に設定し又はそれを変更するための前記入力装置に応答するルーチンを含み、
前記プロセサ・プログラムが前記トルク測定装置によって測定されたトルク値を事前設定トルク・レベルと比較し前記事前設定トルク・レベルに対する前記測定されたトルク値の近さを示すバー・グラフ表示を前記表示装置に生じさせるためのルーチンを含む電子トルク・レンチ。
【請求項１０】
前記データ入力装置がキーパッドを含む請求項９に記載のレンチ。
【請求項１１】
前記バー・グラフ表示が所定の長さのバーを含み、前記バーの長さの百分率が、前記事前設定トルク・レベルに対する前記測定されたトルクの比に比例して、照明される請求項９に記載のレンチ。
【請求項１２】
前記ユーザ・インタフェースが前記ハウジング上に交換可能に取り付けられるモジュールを形成する請求項９に記載のレンチ。
【請求項１３】
内部のほぼ管状コアを含むハウジング・アセンブリと、
前記コアに結合されトルク測定装置を含むユーザ・インタフェース・アセンブリと、
前記ハウジング・アセンブリに支持され前記トルク測定装置に接続された検出装置と、
前記コアに結合され前記ユーザ・インタフェース・アセンブリに電気的に接続されたパワー・アセンブリと、
前記コア内で受けられる取り付け部分を含む、工作物に係合するヘッド・アセンブリと、
前記ヘッド・アセンブリを所定位置に堅く固定するために前記取り付け部分と前記コアの間で前記コア内で受けられるシム構造とを含む電子トルク・レンチ。
【請求項１４】
前記シム構造が前記ヘッド・アセンブリの前記取り付け部分をその中に受けるためのテーパ付きのアパーチャをその中に有する本体を含む請求項１３に記載のレンチ。
【請求項１５】
前記ヘッド・アセンブリが、ヘッドと、前記ヘッド及び前記シム構造に結合されたビーム部材とを含む請求項１４に記載のレンチ。
【請求項１６】
前記検出装置が前記ビーム部材上に配置されたセンサを含む請求項１５に記載のレンチ。
【請求項１７】
前記シム構造がその中に形成された溝を含み、前記検出装置が前記センサと前記ユーザ・インタフェース・アセンブリの間で前記溝に延びる電気導体を含む請求項１６に記載のレンチ。
【請求項１８】
前記シム構造及び前記ヘッド・アセンブリを前記管状コアに堅く固定するためのファスナをさらに含む請求項１３に記載のレンチ。
【請求項１９】
第１及び第２アパーチャをその中に備える管状コアを提供する段階と、
トルク測定装置を含むユーザ・インタフェース・アセンブリ・モジュールを前記第１アパーチャ内に取り付ける段階と、
パワー・アセンブリ・モジュールを前記第２アパーチャ内に取り付ける段階と、
前記コアの一端に検出装置を含む、工作物に係合するヘッド・アセンブリを取り付ける段階と、
前記検出装置を前記トルク測定装置に電気的に接続する段階と、
前記ヘッド・アセンブリを前記管状コア内に堅く固定する段階とを含む電子トルク・レンチを組み立てる方法。
【請求項２０】
前記ヘッド・アセンブリを前記取り付ける段階が、ビーム部材上にヘッドを取り付ける段階と、前記ビーム部材を前記コアにシム構造によって固定する段階とを含む請求項１９に記載の方法。
【請求項２１】
前記検出装置を前記ビーム部材上に提供する段階をさらに含む請求項２０に記載の方法。
【請求項２２】
前記シム構造及び前記ビーム部材をファスナによって前記コアに固定する段階をさらに含む請求項２１に記載の方法。
【請求項２３】
前記インタフェース・アセンブリ及び前記パワー・アセンブリが前記コアに取り外し可能に取り付けられる請求項１９に記載の方法。
【発明の詳細な説明】
【技術分野】
【０００１】
この出願は、２００３年１０月３日出願の同時係属の米国仮出願第６０／５０８７４４号の出願日の恩恵を主張するものである。
【背景技術】
【０００２】
本願はレンチ工具に関し、詳細にはトルクを測定し記録するレンチに関する。本願は、具体的には、その開示を本明細書中に参照により援用する、２００２年１１月１３日に出願した「Ｅｌｅｃｔｒｏｎｉｃ  Ｔｏｒｑｕｅ  Ｗｒｅｎｃｈ」と題する同時係属の米国特許出願第１０／２９３００６号に開示した電子トルク・レンチの改良に関する。
【発明の開示】
【発明が解決しようとする課題】
【０００３】
この先行のレンチは十分に動作するが、複数の電池と、簡単には接近できず交換できない電子モジュールとを使用する比較的複雑な構造である。
【課題を解決するための手段】
【０００４】
追加の構造的、動作的利点を提供しながら、先行のレンチの不利な点を回避する改良した電子トルク・レンチを本願において開示する。
【０００５】
１つの実施例では、電子トルク・レンチが、ハウジング・アセンブリ（組立体）であって、内部に第１及び第２の細長いアパーチャ（孔）を形成した内部のほぼ管状のコアと、このコア上に入り子式に受けられ、第１及び第２アパーチャに通じる第１及び第２開口を中にそれぞれ備えたグリップ・スリーブと、コアに結合され、トルク測定装置を含み、第１アパーチャ及び第１開口内に配置されたユーザ・インタフェース・アセンブリと、コアに結合され、第２アパーチャ及び第２開口内に配置され、ユーザ・インタフェース・アセンブリに電気的に接続されたパワー（電力）・アセンブリとを備えたハウジング・アセンブリと、コアによって支持される工作物に係合するヘッドと、ハウジング・アセンブリによって支持されかつトルク測定装置に接続される検出装置とを含む。
【０００６】
１つの実施例では、トルク測定装置が内蔵プログラム制御の下で動作するプロセサを含み、ユーザ・インタフェース・アセンブリがデータ入力装置と表示装置とを含み、プロセサ・プログラムが事前設定トルク・レベルを選択的に設定し又はそれを変更するための入力装置に応答するルーチンを含み、プロセサ・プログラムが、トルク測定装置によって測定されたトルク値を事前設定トルク・レベルと比較して事前設定トルク・レベルに対する測定されたトルク値の近さを示すバー・グラフ表示を表示装置に生じさせるためのルーチンを含む。
【０００７】
１つの実施例では、工作物に係合するヘッドは、コア内で受け取り可能な取り付け部分を含むヘッド・アセンブリの一部であり、レンチは、ヘッド・アセンブリを所定位置に堅く固定するために、取り付け部分とコアの間にコア内で受け取り可能なシム構造をさらに含む。
【０００８】
１つの実施例では、第１及び第２アパーチャを中に備えた管状コアを用意する段階と、トルク測定装置を含むユーザ・インタフェース・アセンブリ・モジュールを第１アパーチャ内に取り付ける段階と、パワー・アセンブリ・モジュールを第２アパーチャ内に取り付ける段階と、コアの一端に検出装置を含む、工作物に係合するヘッド・アセンブリを取り付ける段階と、検出装置をトルク測定装置に電気的に接続する段階と、ヘッド・アセンブリを管状コア内に堅く固定する段階とを含む、電子トルク・レンチを組み立てる方法も提供される。
【０００９】
保護を求めている主題の理解を容易にする目的で、添付の図面に実施例を図示しており、それを調べることで、以下の説明と関連して考えるとき、保護を求めている主題、その構造、動作及び利点の多くを容易に理解し認識するであろう。
【実施例】
【００１０】
図面を参照すると、曲げビーム形式の、全体を参照番号２０（図１）で表す電子トルク・レンチが示されている。トルク・レンチ２０は、ハンドル・コア２１を備えたハンドル・アセンブリを有し、このハンドル・コアは、グリップ・スリーブ３０の内部に入れ子式にその後部分が受けられる。特に、図６〜図９を参照すると、ハンドル・コア２１は、細長く中空で管状の本体であり、横断面形状がほぼ卵形であり、ほぼ長手方向にその中央で、その上部に、細長くほぼ長方形のアパーチャ２２と、その後端部に隣接してその底部に形成された別のほぼ長方形のアパーチャ２３であって、コアの側部に沿って上に一部延びるアパーチャ２３とを有する。アパーチャ２２の前端部に隣接した２つの比較的大きな円形の穴２４、１対がアパーチャ２２の後端部にすぐ隣接し他の対がコア２１の後端部に隣接する２対の中程度の大きさの円形の穴２５、並びにコア２１の底部でその前端部に隣接して形成され長手方向でその中央に一直線に並べられた１対の小さい円形の穴２６（図２及び図４参照）もまたコア２１を通って形成される。卵形カラー２７は、コア２１の前端部に対して嵌合するようになっていて、それを通って拡大した円形のカウンタボア２９（図２、図４及び図５参照）を備えるほぼ長方形の開口２８を有する。
【００１１】
図１〜図５を特に参照して、グリップ・スリーブ３０も横断面がほぼ卵形であり、コア２１の後端部上に嵌合されるようになっており、スリーブは、その上面に形成されその長さの大部分に沿って延びる細長いほぼ長方形の開口３１と、上部開口３１にほぼ一致しほぼ長方形の底部開口３２とを有する。グリップ・スリーブ３０の後部は、その外側表面に、長手方向に間隔を置いて配置された複数のフィンガ・リセス（手掛け）３４をその各側部に沿って備える厚くなったグリップ部３３を形成する。グリップ・スリーブ３０の後端部は、トルク・レンチ２０を吊るために使用でき又はつなぎコードなどを受けることができるそれを通る長円形のアパーチャ３６を備えるエンド・キャップ３５によって閉じられる。グリップ・スリーブ３０が管状コア２１の上に嵌合されるとき、管状コア２１の細長いアパーチャ２２は、グリップ・スリーブ３０の上部開口３１の前部にほぼ一致し、一方、管状コア２１の底部の長方形のアパーチャ２３は、グリップ・スリーブ３０の底部開口３２の後部に通じる。
【００１２】
トルク・レンチ２０は、ユーザ・インタフェース・アセンブリ４０を形成する電子モジュールを含む。アセンブリ４０は、グリップ・スリーブ３０の上部開口３１の上で噛み合うように嵌合しそれを閉じるように形成され寸法決めされた細長い上部パネル４１を含む。細長い長方形アパーチャ４２（図５）が、上部パネル４１を通ってその前端部に隣接して形成される。複数のキー穴４３、円形の配列の警報器の穴４４及び１対のＬＥＤの穴４５も上部パネル４１を通って形成される。複数の雌ねじ付き円筒ボス４６が上部パネル４１の内部表面から垂れ下がり、その前方のものはコア２１内のアパーチャ２２の前端部を通って下向きに嵌合し、その後方の４つは、それぞれコア２１内の中程度の大きさの穴２５に嵌合する。インタフェース・アセンブリ４０は、４つのほぼ三角のキー４８と、上部パネル４１のキー穴４３を通ってそれぞれ嵌合するように適合された２つの幾分長円形のキー４９とを備えるキーパッド４７も含む。
【００１３】
キーパッド４７は、上部パネル４１内のアパーチャ４２に嵌合するようになった関連するレンズ５２を備えるＬＣＤ表示パネル５１を支持するプリント回路基板（ＰＣＢ）５０に堅く固定される。ＰＣＢ５０上に、上部パネル４１内の警報器の穴４４のすぐ下に配置されるように置かれたブザー５３の形状のこともある可聴警報器も取り付けられる。ＰＣＢ５０上の２つのＬＥＤ５４は、それぞれ上部パネル４１内のＬＥＤの穴４５内に嵌合するように配置される。ＰＣＢ５０は、それを通って上部パネル４１のボス４６の２つをそれぞれ受けるための穴５６を備えている。ＰＣＢ５０はまた、それを通って、それぞれその前端部及び後端部に隣接して、ねじ式係合でそれぞれ適切なファスナを受ける上部パネル４１から垂れ下がるボス５８内にＰＣＢ５０を上部パネル４１（図２及び図５）に堅く固定するために２対の小さい穴５７も備えている。
【００１４】
インタフェース・アセンブリ４０は上部パネル４１と形状が類似し、グリップ・スリーブ３０の底部開口３２内に噛み合わせるように受けられ、それを覆うように配置される下部パネル６０も含む。下部パネル６０は、９ボルト電池などの電池６２を受けるようになった底の開いた箱のような電池容器６１を含むパワー・アセンブリをその後端部に隣接した内部表面上で支持する。容器６１は、電池６２の端子と噛み合わせて接続するための適切な端子（図示せず）を備え、その端子が適切な導線（図示せず）でＰＣＢ５０の回路に接続されることが理解されるであろう。容器６１の開いた底は、下部パネル６０の内部表面に対して嵌合するようになったタブ６４と、適切なファスナをねじ式係合で容器６１上の雌ねじ付きボス６７内に受けるための穴６５とを備えるカバー６３で覆われる下部パネル６０の後端部の長方形のアパーチャに通じる。３対の管状ボス６８は下部パネル６０を通る穴に通じ、その前端部及び後端部及びそれらの端部のほぼ中間にそれぞれ隣接してそこから上に突出し、上部パネル４１のボス４６と整合するために管状コア２１内の穴２４及び２５を通ってそれぞれ嵌合する。適切なファスナ（図示せず）は、ボス６８を通って受けられ、上部パネル４１及び下部パネル６０を一緒に、又管状コア２１に固定するようにボス４６内にねじ式で係合され、上部パネル４１及び下部パネル６０が協働してグリップ・スリーブ３０を所定位置に保持する。
【００１５】
トルク・レンチ２０は、横断面において四角でもよいドライブ・ラグ７１を備えるヘッド７０を有するヘッド・アセンブリも含む。穴を有するネック７２が知られた方法でそこを通ってヘッド７０から突出する。ヘッド７０は知られた構造であり、ヘッドのフレームに対してドライブ・ラグ７１のつめ車式回転をもたらすラチェット・ヘッドでよく、その場合には、ラチェット機構は可逆性でよく、すべて知られた方法の適切な可逆レバーを備えてよい。ヘッド７０は、センサ・ビーム・アセンブリ７５（図４）上にピボット回転可能に取り付けられるように適合される。
【００１６】
次に図１０〜図１３も参照して、センサ・ビーム・アセンブリ７５は、その間にヘッド・ネック７２を受けるために間隔をあけた１対の前方に突出するアーム８２を備えその前端部に円筒ヨーク８１を有する細長いセンサ・ビーム８０を含む。穴とヘッド・ネック７２を位置合わせするための一直線に並んだ穴８３が、アーム８２を通ってそれぞれ形成されて、ヨーク８１上にヘッド７０をピボット回転可能に取り付けるために、適切なピボット・ピンを受ける。センサ・ビーム８０は、そのすぐ端部に、ほぼ四角の構造に配置された４つのフラット８４を備え、２つの対向するフラットはさらに引っ込んだところにあって、深いフラット８５を画定する。センサ・ビーム８０の後端部は、テーパ付きのほぼ円錐台形部分８６を有し、その前端部はショルダ８７で終わる。テーパ付き端部８６の後端部に軸方向ボア８８が形成され、その径方向に２つの長手方向に間隔を置いた円形のねじ穴８９が形成され、その円形のねじ穴８９はボア８８に通じる。
【００１７】
次に図１４〜図１８も参照して、センサ・ビーム・アセンブリ７５は、横断面形状においてほぼ卵形でありその中を長手方向に通る軸方向のボア９１を備えるシム９０もブロックの性質として含み、シムの一端はテーパ付きの円錐台のカウンタボア９２を備える。長手方向に間隔を置いた円形ファスナの穴９３がシム９０の底部に形成され、カウンタボア９２に通じる。比較的広い前端部から比較的狭い後端部までテーパが付けられた卵形のテーパ付き側部通路９４が、カウンタボア９２の両側それぞれに、シム９０を通って長手方向に形成される。２対のテーパ付き溝９５が、シム９０の上部表面及び下部表面に形成され、各対の溝は横方向に間隔をあけ、各溝は比較的広い後端部から比較的狭い前端部までテーパが付けられる。
【００１８】
組み立てでは、センサ・ビーム８０のテーパ付き端部８６を、シム９０のテーパ付きカウンタボア９２内で噛み合って受けることでき、シム９０の前端部がセンサ・ビーム・ショルダ８７に対して止まる。シム９０は管状コア２１の前端部内で噛み合って受けられるように寸法決めされ、通路９４及び溝９５は、管状コア２１内でシム９０の滑りばめを可能とするように限定した弾力のある可撓性を与える。ファスナ９８（図２参照）をコアの開口２６及びシムの穴９３を通して受けることができるように、並びに堅く所定位置でシム９０をセンサ・ビーム８０に固定しセンサ・ビーム・アセンブリ７５を管状コア２１内の所定位置に固定するためにセンサ・ビーム８０のねじ穴８９内にねじ式で係合するように、部品が配置される。そのような組み立ての前に、カラー２７はセンサ・ビーム８０の後端部の上に嵌合させられ、フラット８４（図２及び４参照）の前端部のところでヨーク８１の後端部に対して止められ、従って、センサ・ビーム・アセンブリ７５が所定位置に取り付けられたとき、カラー２７は、管状コア２１の前端部に抗して設置される。
【００１９】
次に図１９を参照して、トルク・レンチ１０の動作を制御するためにその大部分をＰＣＢ５０上に配置することができる電子回路１００の機能構成図が示される。回路１００は、結晶制御されたクロック速度を有することができる適切なマイクロコントローラの性質を有するプロセサ１０１を含む。プロセサ１０１は、プロセサ内に格納することができるプログラムの制御下で動作する。ＥＥＰＲＯＭ１０２を、セットアップ、事前設定及び較正のパラメータを格納するために提供することができる。四辺ブリッジひずみ計１０３は、アナログ・デジタル変換器（ＡＤＣ）１０４を通してプロセサ１０１に適用された出力を備えることができる。四辺ブリッジひずみ計１０３を、センサ・ビーム８０（図４参照）の深いフラット８５上に物理的に配置することができ、シム９０の側部通路９４を通って延びる適切なワイヤによってＰＣＢ５０上の回路の残り部分に接続することができる。キーパッド４７はプロセサ１０１に結合されたデータ入力装置を形成する。キーパッド４７はブザー５３、ＬＣＤ表示５１及びＬＥＤ５４も含み、それらすべてもプロセサ１０１に結合されるユーザ・インタフェースの一部を形成する。電池６２を、適切な電源１０５に結合することができ、その電源もプロセサ１０１に結合することができる。電源１０５は、適切な電圧調整器を含むことができ、調整ＤＣ供給電圧Ｖ＋及びＶ＋＋を生成し、それを必要に応じて電子回路１００の他の構成要素に提供することができる。
【００２０】
トルク・レンチ２０の動作は、前述の同時係属の特許出願第１０／２９３００６号で説明されたものに似ており、ここで詳細の説明をしない。しかし、ＬＣＤ表示５１は、電池の消耗１１０、時計回り／反時計回りの動作１１１、百分率の許容範囲、メモリー、選択された測定単位１１２の表示指示を提供するように動作されることができる。ユーザは事前にプログラムされた選択可能なトルク値を入力することができ、レンチは事前設定、許容範囲及び過負荷に一致した際に視聴可能な警報を出すことができる。レンチを組み合わせトルクの追跡及びピーク捕獲表示モードで動作することができる。６つボタンのキーパッド４７を説明したが、前述の同時係属の出願の中で非常に詳細に説明したように４つボタンの配置も使用できることが理解されるであろう。
【００２１】
表示５１を、予め定められたトルクの設定への接近又はその達成の近似をユーザに与えるためにバー・グラフィックを提供するように動作することができる。図２０を参照すると、そのようなグラフィックが１１５に示されており、それは前進又は上昇するグラフィックでよく、全体の窓の長さは予め定められたトルク値に対応し、予め定められたトルク値に近づくにつれて、窓のより大きな部分が漸進的に「満たされる」或いは照明され、従って照明されたバーの百分率が、事前設定されたトルク値に対する測定されたトルクの比に比例する。ＬＥＤ又はＬＣＤのマルチセグメント表示１１７は、事前設定されたトルク値及び／又は測定されたトルク値の表示を提供することができる。
【００２２】
グリップ・スリーブ３０のグリップ部３３を、優れたグリップを提供するために適切なエラストマー材料などの適切なフレキシブルで、弾性的で、摩擦性のグリップ材料で形成することができる。また、グリップ・スリーブ３０の設計と共に、トルク・レンチ・コア２１の卵形の形状は、改良された人間工学的な感触を提供する。設計が、単にねじを数本取り外すことによってインタフェース・アセンブリ４０の容易な取り外し及び交換を可能にするのを理解することができる。ピボット回転するヘッド７０が説明されているが、ピボット構成は指標となる性質の１つでもあり、或いは固定ヘッドを使用することもできることを理解するであろう。説明された構成は、比較的容易に組み立てられるが、非常に頑丈で耐久性のある構造を与える。
【００２３】
図５Ａを参照して、上述のトルク・レンチ２０に実質的に同じである全体として参照番号２０Ａで表されるトルク・レンチの別の実施例が示される。レンチ２０の部品に対応するレンチ２０Ａの部品は、サフィクス「Ａ」と同じ参照番号を有し、レンチ２０との大きな違いを説明するのに必要となるレンチ２０Ａのところだけ本明細書で説明する。
【００２４】
レンチ２０Ａは、横断面形状においてほぼ円形のハンドル・コア２１Ａを有し、これは、レンチ２０の対応するアパーチャより相当に長く、深い長方形のアパーチャ２２Ａをその中に有する。レンチ２０のカラー２７は、レンチ２０Ａでは省略される。レンチ２０Ａは、グリップ・スリーブ３０Ａを有し、その前端部は横断面形状が円形である。レンチ２０Ａは、上部パネル４１Ａのキー穴４３Ａを通ってそれぞれ嵌合するようになった、１対のほぼ三角のキー４８Ａと１対のほぼ四角のキー４９Ａとを備えるキーパッド・ボード４７Ａを含むユーザ・インタフェース・アセンブリ４０Ａを有する。キーパッド・ボード４７Ａは、関連するレンズ５２Ａを備えるＬＣＤ表示パネル５１Ａを支持するプリント回路基板５０Ａの上に重なり、パネル５１Ａは、十分に引き上げられて、ボード４７Ａがその下に嵌合することを可能にする。３つのＬＥＤ５４Ａがキーパッド・ボード４７Ａ内の長円形アパーチャを通って嵌合するように配置され、適切なレンズ５５Ａでそれを覆うことができる。
【００２５】
インタフェース・アセンブリ４０Ａも、協働してリチウム電池などの１対の電池６２Ａを受けるように適合された容器を形成する１対の間隔を置いた角ブラケット６１Ａを有する下部パネル６０Ａを含み、その電池の前端部をクレードル部材６６Ａの後端部で受けることができ、ばね部材６９Ａによって適切な電気接点（図示せず）に押し付けられる。上部パネル４１Ａ上のフィンガ（図示せず）が、クレードル及び電池の前方への移動を制限するようにクレードル６６Ａの前端部と係合する。
【００２６】
センサ・ビーム・アセンブリ７５Ａは、管状ショルダ８４Ａによってセンサ・ビームのフラットから分離されたその前端部にヨーク８１Ａを備える細長いセンサ・ビーム８０Ａを含む。センサ・ビーム８０Ａは、ハンドル・コア２１Ａの前端部内部に入れ子式に嵌合するように適合された円筒後端部８６Ａを有し、ショルダ８４ＡがＯリング９０Ａに抗して設置され、次にＯリングがハンドル・コア２１Ａの前端部に抗して設置される。センサ・ビーム８０Ａは、適切なねじによって所定位置に保持される。従って、レンチ２０のシム９０は省略される。
【００２７】
前述の記述及び添付の図面で説明されたことは、説明のためだけに提供されたのであり、限定のために提供されたものではない。具体的な実施例が示され説明されたが、出願人の寄与のより広い態様から逸脱することなく、変更及び修正を加えることができることは当分野の技術者には明白であろう。
【図面の簡単な説明】
【００２８】
【図１】電子トルク・レンチの上面平面図である。
【図２】図１のほぼ線２−２に沿って取られた断面図である。
【図３】図１のトルク・レンチの正面図である。
【図４】図３のほぼ線４−４に沿って取られた断面図である。
【図５】図１のトルク・レンチの縮小分解斜視図である。
【図５Ａ】電子トルク・レンチの別の実施例における図５に類似した図である。
【図６】図１のトルク・レンチのハンドル・コアの上面平面図である。
【図７】図６のほぼ線７−７に沿って取られた断面図である。
【図８】図６のハンドル・コアの正面図である。
【図９】図６のハンドル・コアの底面図である。
【図１０】図１のトルク・レンチのセンサ・ビームの拡大側面図である。
【図１１】図１０のセンサ・ビームの左端面図である。
【図１２】図１０のセンサ・ビームの右端面図である。
【図１３】時計回りに９０度回転した、図１０のセンサ・ビームの底面図である。
【図１４】図１のトルク・レンチ用のセンサ・ビームのシムの拡大上面平面図である。
【図１５】時計回りに９０度回転した、図１４のシムの右側面図である。
【図１６】図１５の線１６−１６に沿って取られた断面図である。
【図１７】図１５のシムの左端面図である。
【図１８】図１５のシムの右端面図である。
【図１９】図１のトルク・レンチの電子回路の機能構成図である。
【図２０】図１のトルク・レンチで使用することができる１つのタイプの表示の概略図である。
【図１】
2007507363.tif 000003
【図２】
2007507363.tif 000004
【図３】
2007507363.tif 000005
【図４】
2007507363.tif 000006
【図５】
2007507363.tif 000007
【図５Ａ】
2007507363.tif 000008
【図６】
2007507363.tif 000009
【図７】
2007507363.tif 000010
【図８】
2007507363.tif 000011
【図９】
2007507363.tif 000012
【図１０】
2007507363.tif 000013
【図１１】
2007507363.tif 000014
【図１２】
2007507363.tif 000015
【図１３】
2007507363.tif 000016
【図１４】
2007507363.tif 000017
【図１５】
2007507363.tif 000018
【図１６】
2007507363.tif 000019
【図１７】
2007507363.tif 000020
【図１８】
2007507363.tif 000021
【図１９】
2007507363.tif 000022
【図２０】
2007507363.tif 000023
【国際調査報告】
2007507363.tif 000024